(57)【要約】      （修正有）【課題】多くの人々の目を引き付けて、より高い宣伝効果を得ることができる宣伝装置を提供する。【解決手段】上方に向けて支柱を立設し、この支柱の先端にモータ２６を取り付ける。モータ２６が駆動する回転軸に、先端に引掛具２９が取り付けられた複数の支持梁２８を放射状に延設する。次に、宣伝内容が印刷されたシートを円筒状に形成されたのぼりの端部を複数の引掛具２９に吊持させる。そして、のぼり内部に配設された照射装置からのぼりに光を照射するとともに、モータ２６を回転させて、のぼりを支柱周りに回転させる。【選択図】図２
0003144225.tif 000002
【実用新案登録請求の範囲】
【請求項１】
高さ方向に立設された支柱と、
回転軸を高さ方向に向けて前記支柱に取り付けられ、電気エネルギーを前記回転軸の回転運動に変換するモータと、
前記回転軸に接続され、その接続位置から水平方向に放射状に延設された複数の支持梁と、
複数の前記支持梁のそれぞれの先端に取り付けられた引掛具と、
宣伝内容が印刷されたシートが円筒状に形成され、円筒状に形成された該シートの端部をそれぞれの前記引掛具で掛けられて前記支持梁に吊持されたのぼりと、を備え、
前記のぼりは、前記回転軸の回転運動を受けて、前記支柱周りを回転することを特徴とする宣伝装置。
【請求項２】
前記のぼりに光を照らす照射装置をさらに備えたことを特徴とする請求項１に記載の宣伝装置。
【請求項３】
高さ方向に立設され、前記支柱をその内部に収容し、前記照射装置が取り付けられる角型のパイプをさらに備えたことを特徴とする請求項２に記載の宣伝装置。
【請求項４】
前記シートは、布、紙、ビニールシートのいずれかから構成されていることを特徴とする請求項１乃至請求項３のいずれか１項に記載の宣伝装置。
【請求項５】
高さ方向に立設された支柱と、
回転軸を高さ方向に向けて前記支柱に取り付けられ、電気エネルギーを前記回転軸の回転運動に変換するモータと、
宣伝内容が印刷されたシートが帽子状に形成され、該帽子状の頂部中央で前記回転軸に支持されたのぼりと、を備え、
前記のぼりは、前記回転軸の回転運動を受けて、前記支柱周りを回転することを特徴とする宣伝装置。
【請求項６】
前記のぼりに光を照らす照射装置をさらに備えたことを特徴とする請求項５に記載の宣伝装置。
【考案の詳細な説明】
【技術分野】
【０００１】
本考案は、店舗、催し会場、会社の受付等に設置する宣伝装置に関する。
【背景技術】
【０００２】
従来、店舗や催し会場などにおいては、旗やのぼり等を用いて店舗の紹介や、取扱商品の宣伝等が行なわれている。一般には、人々の注目をより多く集めるため、デザイン等に趣向を凝らした旗やのぼりが設置されている。その一方で、これらの旗やのぼり等の設置方法に工夫を凝らすことで、より多くの人々の目を引き付けることも可能となる。
【考案の開示】
【考案が解決しようとする課題】
【０００３】
本考案は、多くの人々の目を引き付けて、より高い宣伝効果を得ることができる宣伝装置を提供することを目的とする。
【課題を解決するための手段】
【０００４】
上記目的を達成するため、本考案の第１の観点に係る宣伝装置は、高さ方向に立設された支柱と、回転軸を高さ方向に向けて前記支柱に取り付けられ、電気エネルギーを前記回転軸の回転運動に変換するモータと、前記回転軸に接続され、その接続位置から水平方向に放射状に延設された複数の支持梁と、複数の前記支持梁のそれぞれの先端に取り付けられた引掛具と、宣伝内容が印刷されたシートが円筒状に形成され、円筒状に形成された該シートの端部をそれぞれの前記引掛具で掛けられて前記支持梁に吊持されたのぼりと、を備え、前記のぼりは、前記回転軸の回転運動を受けて、前記支柱周りを回転することを特徴とする。
【０００５】
前記のぼりに光を照らす照射装置をさらに備えてもよい。
【０００６】
また、高さ方向に立設され、前記支柱をその内部に収容し、前記照射装置が取り付けられる角型のパイプをさらに備えてもよい。
【０００７】
また、前記シートは、布、紙、ビニールシートのいずれかから構成されてもよい。
【０００８】
また、上記目的を達成するため、本考案の第２の観点に係る宣伝装置は、高さ方向に立設された支柱と、回転軸を高さ方向に向けて前記支柱に取り付けられ、電気エネルギーを前記回転軸の回転運動に変換するモータと、宣伝内容が印刷されたシートが帽子状に形成され、該帽子状の頂部中央で前記回転軸に支持されたのぼりと、を備え、前記のぼりは、前記回転軸の回転運動を受けて、前記支柱周りを回転することを特徴とする。
【０００９】
前記のぼりに光を照らす照射装置をさらに備えてもよい。
【考案の効果】
【００１０】
本考案によれば、多くの人々の目を引き付けて、より高い宣伝効果を得ることができる宣伝装置を提供できる。
【考案を実施するための最良の形態】
【００１１】
以下、本考案の実施形態に係る宣伝装置を図１乃至図３を参照して説明する。
【００１２】
図１に示したように、本考案の実施形態に係る宣伝装置１は、のぼり部１０と、のぼり部１０を吊持する回転支持部２０とから構成されている。
【００１３】
のぼり部１０は、宣伝広告が印刷されたのぼり１１と、のぼり１１の一方の端部に形成され、この端部の形状を保持する上縁フレーム１２と、のぼり１１の他方の端部に形成され、この端部の形状を保持する下縁フレーム１３とから構成されている。
【００１４】
のぼり１１は、例えば、ポリエステル製の布地から形成され、商品、あるいは店舗等の宣伝のための所望のテキストや、模様等が色彩を伴って印刷されている。のぼり１１は、のぼり部１０が吊持された際に円筒型となるように、形成されている。また、のぼり１１の上縁フレーム１２が取り付けられた端部近傍には、後述する引掛具２９の配置に合わせて、引掛具取付孔１４が形成されている。
【００１５】
上縁フレーム１２は、例えば、ポリプロピレン等のプラスチックから形成されている。上縁フレーム１２は、のぼり１１と同じ径からなる円形の枠体で、のぼり１１の一方の端部に取り付けられて、のぼり１１の端部形状を保持する。
【００１６】
下縁フレーム１３は、例えば、ポリプロピレン等のプラスチックから形成されている。下縁フレーム１３は、のぼり１１と同じ径からなる円形の枠体で、のぼり１１の他方の端部に取り付けられて、上り１１の端部形状を保持する。
【００１７】
回転支持部２０は、回転支持部２０が地面に載置された際に接地するベースプレート２１と、ベースプレート２１に立設された支柱２２と、ベースプレートに立設され内部に支柱２２を収容した角パイプ２３と、角パイプ２３に取り付けられた蛍光灯２４と、蛍光灯２４に電気を供給する電源コード２５と、支柱２２の先端に取り付けられたモータ２６と、モータの回転軸に接続された回転板２７と、回転板２７の中心から放射状に延設された３本の支持梁２８と、支持梁２８の先端に取り付けられた引掛具２９とから構成されている。
【００１８】
ベースプレート２１は、例えば、円形に切断加工された鋼板から構成されている。ベースプレート２１は、宣伝装置１が安定して設置できる接地面積が確保できるように、その寸法が設定されている。
【００１９】
支柱２２は、例えば、塩化ビニル製のパイプから構成されている。支柱２２は、ベースプレート２１に立設され、宣伝装置１を構成する各部材を支持する。
【００２０】
角パイプ２３は、例えば、塩化ビニル製で、蛍光灯２４の取付け易さを考慮して、角型のパイプが使用されている。
【００２１】
蛍光灯２４は、角パイプ２３の側面に２つ取り付けられている。蛍光灯２４は、角パイプ２３に沿って配設された電源コード２５から電気を供給されて発光し、回転支持部２０に吊持されたのぼり部１０を、円筒内側から光を照射する。
【００２２】
モータ２６は、例えば電池駆動式で、支柱２２の先端に取り付けられている。モータ２６は、図示しない電池から電気の供給を受け、回転軸をおおよそ３０秒で１回転させる。
【００２３】
回転板２７は、例えば、鋼板から切り出された円板で、その円板中央でモータ２６の回転軸と接続されている。そのため回転板２７は、モータ２６の回転軸の回転と同期して、円板中央を中心に回転する。
【００２４】
支持梁２８は、例えば、アルミニウム製の押出し材から構成されている。図に示すように、３本の支持梁２８はそれぞれの一端が結合され、その結合部２８ａから３本の支持梁２８が放射状に延設されている。また、３本の支持梁２８の結合部２８ａは、回転板２７の中央に取り付けられている。そのため、３本の支持梁２８は、回転板２７の回転と同期して、結合部２８ａを中心に回転する。
【００２５】
引掛具２９は、３本の支持梁２８の先端のそれぞれに取り付けられている。引掛具２９は、例えば、ステンレス製のフックであり、フックに掛けられたものが抜け落ちないように、脱落防止機構を備えている。それぞれの引掛具２９は、上述した引掛具取付孔１４に挿通され、上縁フレームを引掛けることで、のぼり部１０を吊持するようになっている。
【００２６】
図２は、図１に示した回転支持部２０にのぼり部１０が取り付けられた様子を示した斜視図で、本実施形態に係る宣伝装置を示している。
【００２７】
図に示すように、のぼり１１は、引掛具取付孔１４に挿通された引掛具２９を介して、支持梁２８に吊持されている。その際、下縁フレーム１２は、のぼり１１を緊張させるおもりとして機能することで、のぼり１１を撓ませることなく張設することができる。
【００２８】
このように構成された宣伝装置１に、図示しないモータ駆動用の電池をセットしてモータ２６を駆動させる。すると、のぼり１１は、モータ２６の回転軸と同期して、支柱２２周りをおおよそ３０秒に１回転する。なお、図２に示した矢印は、のぼり１１の回転方向を示している。
また、角パイプ２３に取り付けられた蛍光灯２４を点灯させて、のぼり１１に内側から光を照射するようにしてもよい。なお、本実施形態では、角パイプ２３に蛍光灯２４を取り付けた一例について説明したが、のぼり１１に光を照射できるものであればよく、例えば各種電球等を取り付けてもよい。
【００２９】
以上のように、本考案の実施形態に係る宣伝装置を用いることで、次に示すような効果を奏する。
（１）のぼり１１を回転させることで、人々の視線を引き付け、より高い宣伝効果を発揮させることが可能となる。これは、人は動いているものを無意識に注視するという性質を利用したものである。
（２）また、のぼり１１にその内部から光を照射させることで、のぼり１１は明るく照らされ、人々の注目を集めることができる。また、宣伝装置１が暗い場所に設置された場合にも、のぼり１１に印刷された宣伝内容をはっきりと表示させることができる。
（３）また、円筒形状ののぼり１１を用いることで、３６０度すべての方向から宣伝内容を確認することができる。そのため、人々の目にとまる機会を増やすことができ、宣伝効果を高めることができる。
（４）また、のぼり１１を回転させることで、一方向からのぼり１１を見続けた場合にも、所定の時間をかけることにより、のぼり１１の外周面に印刷された宣伝内容を全て確認することができる。そのため、のぼり１１の径の約３．１４倍の長さからなる宣伝スペースとして活用することができる。これにより、従来の宣伝装置と比べ、設置スペースを広く占有することなく、効率のよい宣伝が可能となる。
（５）さらに、のぼり部１１は、回転支持部１０の引掛具２９に掛けられ、支持梁２８に吊持されているだけであるため、宣伝内容を変えるためには、のぼり部１０を差し替えることだけで可能である。
【００３０】
本考案は上述した実施形態に限られず、様々な変形及び応用が可能である。上述したのぼりは、ポリエステル製の布地から構成されていると説明したが、例えば、ポリ塩化ビニル製のシートや、厚紙等から構成してもよい。
また、本実施形態に係る宣伝装置の大きさは、宣伝装置の構造上特に制限されるものではない。そのため、制作上、運搬上等の制約を受けない限り自由にその寸法を設定できる。
また、上述した宣伝装置の支柱は、ベースプレートから立設させた構造であると説明したが、例えば、予め形成された地面の凹部に支柱を差し込んで立設するようにしてもよい。
また、上述したのぼりは、円筒状であると説明したが、例えば、各辺にフレームを配して、多角形状の筒型にしてもよい。
また、上述では、モータの回転軸は３０秒間で１回転として説明したが、これも一例を述べただけで、回転軸の回転スピードは適宜設定可能である。
【００３１】
また、他の一例として、図３は、のぼりが厚紙で製作された宣伝装置の分解図を示している。この宣伝装置３０は、のぼり４１と回転支持部５０とから構成されている。
のぼり４１は、多角形の断面を有した筒状形状で、一つの開放部を厚紙で塞がれた帽子状に形成されている。厚紙で塞いだ面の中央には、後述する回転軸５６と嵌合する回転軸嵌合孔４２が形成されている。また、のぼり４１の外周面には、商品、あるいは店舗等の宣伝のための所望のテキストや、模様等が色彩を伴って印刷されている。
回転支持部５０は、回転支持部５０が地面に載置された際に接地するベースプレート５１と、ベースプレート５１に立設された支柱５２と、ベースプレート５１に配設された電球５３と、支柱５２の先端に取り付けられたモータ５５とから構成されている。モータ５５は、例えば電池駆動式で、図示しない電池から電気の供給を受け、回転軸５６を等速度で回転させる。
【００３２】
このように構成された回転支持部５０の回転軸５６に、のぼり４１に形成された回転軸嵌合孔４２を嵌合させることで、回転支持部５０にのぼり４１を取付けることができる。このようにして構成された宣伝装置３０に、図示しないモータ駆動用の電池をセットしてモータ５５を駆動させることで、のぼり４１を所定速度で回転させることができる。また、ベースプレート５１に配設された電球５３を点灯して、のぼり４１をライトアップしてもよい。
【００３３】
なお、のぼり４１は上述の形状に限定されるものでなく、例えば、一面を開放した立方体の形状としてもよいし、三角錐等の形状であってもよい。
また、のぼり４１の材質は厚紙であると説明したが、例えば、ポリエステル製のフィルムや、塩化ビニル製のフィルムからのぼり４１を構成してもよい。
さらに、のぼり４１の頂部に円形の補強板を配して、のぼり４１の頂部を補強してもよい。
【図面の簡単な説明】
【００３４】
【図１】本考案の実施形態に係る宣伝装置の分解図。
【図２】本考案の実施形態に係る宣伝装置の斜視図である。
【図３】本考案の他の実施形態に係る宣伝装置の斜視図である。
【符号の説明】
【００３５】
１、３０    宣伝装置
１０、４１  のぼり部
１１        のぼり
１２        上縁フレーム
１３        下縁フレーム
１４        引掛具取付孔
２０、５０  回転支持部
２１、５１  ベースプレート
２２        支柱
２３        角パイプ
２４        蛍光灯
２５        電源コード
２６、５５  モータ
２７        回転板
２８        支持梁
２９        引掛具
４２        回転軸嵌合孔
５３        電球
５６        回転軸
【図１】
0003144225.tif 000003
【図２】
0003144225.tif 000004
【図３】
0003144225.tif 000005